(57)【要約】【課題】風を受ける面積が小さく、防水対策を施した、種々の表示形態がとれる、表示装置を提供する。【解決手段】各々が直線上に離れて整列する複数の発光体１１を有する長尺の表示ユニット２と、各発光体１１がマトリクス状に並ぶ様に、複数の前記表示ユニット２を支持する支持体２０とを備え、隣接した各表示ユニット２間に、貫通する空間２５が生じる様に、各表示ユニット２が支持された。更に、前記支持体２０は複数の支持片２１，２２からなり、各支持片２１，２２は各表示ユニット２を離して支持し、各支持片２１，２２同士は離れて位置している。【選択図】        図２
2004333846.tif 000002
【特許請求の範囲】
【請求項１】
各々が直線上に離れて整列する複数の発光体を有する長尺の表示ユニットと、各発光体がマトリクス状に並ぶ様に、複数の前記表示ユニットを支持する支持体とを備え、隣接した各表示ユニット間に、貫通する空間が生じる様に、各表示ユニットが支持された事を特徴とする表示装置。
【請求項２】
前記支持体は複数の支持片からなり、各支持片は各表示ユニットを離して支持し、各支持片同士は離れて位置している事を特徴とする請求項１の表示装置。
【請求項３】
各々の前記表示ユニットは、透明窓を有し、かつ、密閉状態に構成されている事を特徴とする請求項１の表示装置。
【請求項４】
各々の前記表示ユニットが同一平面上に位置する様に、前記支持体は平面状の支持面が構成された事を特徴とする請求項１の表示装置。
【請求項５】
各々の前記表示ユニットが円筒上に位置する様に、前記支持体は円筒状の支持面が構成された事を特徴とする請求項１の表示装置。
【請求項６】
各々の前記表示ユニットが扇状に位置する様に、前記支持体は円錐台状の支持面が構成された事を特徴とする請求項１の表示装置。
【発明の詳細な説明】
【０００１】
【発明の属する技術分野】
本発明は表示装置に関する。
【０００２】
【従来の技術】
従来、この種の表示装置は例えば、特許文献１に示されている。この特許文献１によると、基板２０と、その上に配列された細長い一群の発光体４０とが示されている。
【０００３】
【特許文献１】
特開２００１−２６５２５６号公報
【０００４】
【発明が解決しようとする課題】
しかし、上記装置では、正面から見れば、長方形の基板２０を用いるため、屋外にて使用すると、風を受ける面積が広く、強固な支持体が必要となり、コスト高になる、第１の欠点がある。そして上記装置では、各構造部品が露出しているので、屋外に設置した場合、防水対策が施されていない、第２の欠点がある。
【０００５】
また、平面状の基板２０を用いるので、平面的な表示しかできない、第３の欠点がある。そこで、本発明はこの様な従来の欠点を考慮し、風を受ける面積が小さく、防水対策を施した、種々の表示形態がとれる、表示装置を提供する。
【０００６】
【課題を解決するための手段】
上記課題を解決するために、請求項１の本発明では、各々が直線上に離れて整列する複数の発光体を有する長尺の表示ユニットと、各発光体がマトリクス状に並ぶ様に、複数の前記表示ユニットを支持する支持体とを備え、隣接した各表示ユニット間に、貫通する空間が生じる様に、各表示ユニットが支持された。
【０００７】
請求項２の本発明では、前記支持体は複数の支持片からなり、各支持片は各表示ユニットを離して支持し、各支持片同士は離れて位置している。
【０００８】
請求項３の本発明では、各々の前記表示ユニットは、透明窓を有し、かつ、密閉状態に構成されている。
【０００９】
請求項４の本発明では、各々の前記表示ユニットが同一平面上に位置する様に前記支持体は平面状の支持面が構成された。
【００１０】
請求項５の本発明では、各々の前記表示ユニットが円筒上に位置する様に、前記支持体は円筒状の支持面が構成された。
【００１１】
請求項６の本発明では、各々の前記表示ユニットが扇状に位置する様に、前記支持体は円錐台状の支持面が構成された。
【００１２】
【発明の実施の形態】
以下に、図１と図２に従い、本発明の実施の形態１に係る表示装置１を説明する。図１（ａ）は表示装置１に用いられるケーシングの斜視図、図１（ｂ）は表示ユニットの断面図、図２は表示装置１の正面図である。
【００１３】
これらの図において、表示ユニット２を構成するケーシング３は、例えば、アルミニュウムの押し出し材又はプラスチック等からなる。ケーシング３は、表面側に開口部４が形成され、上面と下面が開放して形成されている。
【００１４】
ケーシング３の表面側において、溝部５が形成されている。ケーシング３の中間部において、載置部６が形成され、載置部６の中央は開口部が形成されている。
【００１５】
シール部７，８は例えばパッキン等からなり、各々、透明窓９の左縁と右縁に配置されている。シール部７，８は、ケーシング３に形成された溝部５の中に配置されている。
【００１６】
透明窓９は例えばアクリル板からなり、長尺のものである。透明窓９は、ケーシング３に形成された開口部４を覆う様に配置されている。
【００１７】
回路基板１０は例えば、ガラス繊維入りエポキシ樹脂等からなり、裏面側に導電パターンが形成されている。
【００１８】
発光体１１は例えば、発光ダイオード１２，１３，１４，１５からなる。発光ダイオード１２は赤色を発光するものである。発光ダイオード１３は緑色を発光するものである。発光ダイオード１４は青色を発光するものである。発光ダイオード１５は橙色を発光するものである。
【００１９】
上記発光ダイオード１２，１３，１４，１５の各アノードおよび各カソードは回路基板１０に形成された孔を貫通し、裏面の導電パターンに、半田等により固着されている。
【００２０】
発光体１１は、ケーシング３の長尺方向に沿って、各々が直線上に離れて整列する様に、１６個が配置されている（図２参照）。
【００２１】
ケーブル１６には、複数個の被覆されたリード線が挿入されている。各リード線の上端は、回路基板１０に形成された各導電パターンに、電気的接続されている。各リード線の下端は、ドライブ回路ユニット１７に設けられた各端子に電気的接続されている。
【００２２】
ケーシング３の上面には、上面シール部（図示せず）を介して、上面カバー１８が固定されている。ケーシング３の下面には、下面シール部（図示せず）等を介して、下面カバー１９が固定されている。
【００２３】
これらのケーシング３と、シール部７，８と、透明窓９と、回路基板１０と、発光体１１と、上面カバー１８と、下面カバー１９等により、表示ユニット２は構成されている。
【００２４】
この様に、表示ユニット２は透明窓９を有している。また、シール部７，８および上面シール部と下面シール部とにより、表示ユニット２は密閉状態に構成されている。上記構成により，表示ユニット２は防水対策が施されている。
【００２５】
例えば、発光体１１同士の整列ピッチは１０ｃｍであり、表示ユニット２の長さは１６０ｃｍと、長尺のものである。
【００２６】
図２において、支持体２０は複数個の支持片２１，２２から構成されている。
支持片２１，２２は例えば、角パイプ等からなる。
【００２７】
１６個の表示ユニット２は、各々が所定の間隔を置いて、支持片２１，２２上にボルト（図示せず）を介して固定されている。即ち、支持体２０は複数の支持片２１，２２からなり、各支持片２１，２２は各表示ユニット２を離して支持しかつ、各支持片２１，２２同士は離れて位置している。
【００２８】
この様に、支持体２０を構成する支持片２１，２２は、平面状の支持面２３，２４が形成されている。各々の表示ユニット２は、上記支持面２３，２４に支持される事により、各表示ユニット２は、同一平面上に位置する様に構成されている。
【００２９】
上記構成により、各発光体１１は縦に１６個、横に１６個、合計２５６個がマトリクス状に並んでいる。即ち、各発光体１１がマトリクス状に並ぶ様に、複数の表示ユニット２を支持する支持体２０が設けられている。この様にして、隣接した各表示ユニット２間に、貫通する空間２５が生じる様に、各表示ユニット２が、支持体２０により支持されている。
【００３０】
左側の表示ユニット２（８個）は、ケーブル１６を介して、ドライブ回路ユニット１７に接続されている。右側の表示ユニット２（８個）はケーブル１６を介して、ドライブ回路ユニット２６に接続されている。以上の部品により、この表示装置１は構成されている。
【００３１】
図示していないが、例えば、屋上に構造体が建設される。この構造体は例えば鉄骨などからなり、屋上の地面に設けられたアンカーボルトに固定されている。構造体を構成し、垂直に延びる鉄骨に、ボルト等を介して、支持片２１，２２は固定されている。この様にして、この表示装置１は構造体に固定される。
【００３２】
また、この表示装置１を複数個、横に並べて構造体に固定しても良い。更に、表示ユニット２を１６個より少なくしたり、多くしたりする事により、任意の大きさの表示面が得られる。また、必要に応じて、複数の表示ユニット２を横方向に配置しても良い（図２では、複数の表示ユニット２は、縦方向に配置されている）。
【００３３】
次に、図３の斜視図に従い、本発明の実施の形態２に係る表示装置２７を説明する。この表示装置２７に用いられる表示ユニット２は、上述した表示装置１のものと同一である。
【００３４】
図３において、支持体２８は複数の支持片２９，３０からなり、各支持片２９，３０は各表示ユニット２を離して支持している。そして、各支持片２９，３０同士は、離れて位置している。
【００３５】
支持片２９，３０は同一の直径を有する円筒状に形成されている。即ち、支持片２９，３０は各々、円筒状の支持面３１，３２を有している。
【００３６】
この様に、各々の表示ユニット２が円筒上に位置する様に、支持体２８は、円筒状の支持面３１，３２が構成されている。以上の部品などにより、この表示装置２７は構成されている。
【００３７】
次に、図４の斜視図に従い、本発明の実施の形態３に係る表示装置３３を説明する。この表示装置３３に用いられる表示ユニット２は、上述した表示装置１のものと同一である。
【００３８】
図４において、支持体３４は複数の支持片３５，３６からなり、各支持片３５，３６は各表示ユニット２を離して支持している。そして、各支持片３５，３６同士は、離れて位置している。
【００３９】
支持片３５，３６は円錐台状に形成されている。即ち、支持片３５，３６は各々円錐台状の支持面３７，３８を有している。
【００４０】
この様に、各々の表示ユニット２が扇状に位置する様に、支持体３４は、円錐台状の支持面３７，３８が構成されている。以上の部品などにより、この表示装置３３は構成されている。また、支持片３５，３６は円錐台でなく、円錐台の中を抜かれた形状でも良い。
【００４１】
【発明の効果】
請求項１の本発明では、各々が直線上に離れて整列する複数の発光体を有する長尺の表示ユニットと、各発光体がマトリクス状に並ぶ様に、複数の前記表示ユニットを支持する支持体とを備え、隣接した各表示ユニット間に、貫通する空間が生じる様に、各表示ユニットが支持された。この様に、隣接した各表示ユニット間に、貫通する空間が生じる様に構成することにより、風は上記空間を通過する。従って、風を受ける面積が減り、従来の様に強固な支持体および構造体が必要なく、コストが安くなる。
【００４２】
請求項２の本発明では、前記支持体は複数の支持片からなり、各支持片は各表示ユニットを離して支持し、各支持片同士は離れて位置している。上記構成により、各支持片同士は離れて位置するので、この支持片同士の間に、貫通する空間が生じる。
【００４３】
請求項３の本発明では、各々の前記表示ユニットは、透明窓を有し、かつ、密閉状態に構成されている。この様に、表示ユニットを密閉状態に構成する事により、防水対策が施され、この表示装置を屋外に設置できる。
【００４４】
請求項４の本発明では、各々の前記表示ユニットが同一平面上に位置する様に前記支持体は平面状の支持面が構成された。上記構成により、平面状の表示装置が得られる。
【００４５】
請求項５の本発明では、各々の前記表示ユニットが円筒上に位置する様に、前記支持体は円筒状の支持面が構成された。上記構成により、円筒状の表示装置が得られ、視野角が広くなる。
【００４６】
請求項６の本発明では、各々の前記表示ユニットが扇状に位置する様に、前記支持体は円錐台状の支持面が構成された。上記構成により、扇状の表示装置が得られ、下から見た場合、表示が見易くなる。
【図面の簡単な説明】
【図１】図１（ａ）は、本発明の実施の形態１に係る表示装置１に用いられるケーシング３の斜視図、図１（ｂ）は表示ユニット２の断面図である。
【図２】上記表示装置１の正面図である。
【図３】本発明の実施の形態２に係る表示装置２７の斜視図である。
【図４】本発明の実施の形態３に係る表示装置３３の斜視図である。
【符号の説明】
２  表示ユニット
１１  発光体
２０  支持体
２５  空間
【図１】
2004333846.tif 000003
【図２】
2004333846.tif 000004
【図３】
2004333846.tif 000005
【図４】
2004333846.tif 000006